(57)【要約】【課題】面倒な作業を経ること無く、配管の高さ調整を行うことが可能な配管支持具を提供すること。【解決手段】ベース２０１と、ベース２０１に連結された、櫛歯３０１を備えた一対の支柱３と、支柱３にその長手方向への移動自在に装着された、配管支持部４と該支持部４の両端部に連接されるとともに支柱貫通孔５０４が形成された連結部５と該連結部５に突設した係止片５０７を備えた支持側バンド６と、支持側バンド６の上側において支柱３にその長手方向への移動自在に装着された、配管押え部７０１と該押え部７０１の一端に連接されるとともに支柱貫通孔７０３が形成され更に下端部近傍が前記係止片５０７の下側に位置する連結部７０２を備えた一対の固定側バンド７と、支持側バンド６の連結部５のそれぞれに備えられた、固定側バンド７を支柱３の外側へ付勢する手段９とを有する。【選択図】              図１
2004204967.tif 000002
【特許請求の範囲】
【請求項１】
配管を所望する勾配を形成しながら床下等に固定するために用いられる配管支持具であって、
床下等の任意の箇所に固定されるベース（２０１）と、
該ベース（２０１）に連結された、それぞれに櫛歯（３０１）を備えた一対の支柱（３）と、
該支柱（３）にその長手方向への移動自在に装着された、配管を下側から支持するための支持部（４）と、該支持部（４）の両端部に連接されるとともに前記支柱（３）が貫通される貫通孔（５０４）が形成された連結部（５）と、該連結部（５）に突設した係止片（５０７）と、を備えた支持側バンド（６）と、
該支持側バンド（６）の上側において前記支柱（３）にその長手方向への移動自在に装着された、配管を上側から押えるための押え部（７０１）と、該押さえ部（７０１）の一端に連接されるとともに少なくとも前記支柱（３）が貫通される貫通孔（７０３）が形成され、更にその下端部近傍が前記係止片（５０７）の下側に位置する連結部（７０２）と、を備えた一対の固定側バンド（７）と、
前記支持側バンド（６）における連結部（５）のそれぞれに備えられた、前記固定側バンド（７）のそれぞれを、前記支柱（３）の外側へ付勢するための付勢手段（９）とを備え、
前記固定側バンド（７）の上端部分を互いに近接させて、それぞれの固定側バンド（７）を前記付勢手段（９）の付勢力に対抗させて前記支柱（３）の内側へ移動させることにより、前記貫通孔（７０３）の縁部を前記支柱（３）における櫛歯（３０１）間に嵌合させ、これにより、前記支柱（３）の長手方向に沿った任意の箇所で前記支持側バンド（６）及び固定側バンド（７）を固定して、配管の高さ位置を調整可能としたことを特徴とした配管支持具。
【請求項２】
前記支持側バンド（６）が、前記支柱（３）における櫛歯（３０１）に当接可能な偏り防止片（５０９）を備えていることを特徴とする請求項１に記載の配管支持具。
【請求項３】
前記支柱（３）に目盛を形成したことを特徴とする請求項１又は請求項２に記載の配管支持具。
【発明の詳細な説明】
【０００１】
【発明の属する技術分野】
本発明は配管支持具に係り、より詳しくは、配水管、排水管等の配管を床下等に固定する際において、配管の高さ位置を容易に調節可能とし、それにより容易に配管に勾配をつけることを可能とした配管支持具に関する。
【０００２】
【従来の技術】
一般的に、家庭等において配管を設置する場合は、水がスムーズに流れるようにするために、配管に勾配をつけることが行われる場合がある。即ち、洗面所、トイレ、風呂場等で使用された使用後の水を下水管まで導く場合はその流路として配管を用いているが、このとき、配管に勾配をつけなければ使用済みの水を下水管まで導くことができなくってしまう。そのため、従来から、配管を設置する際には、配管支持具で配管を支持する場合に、その高さを調整し、これにより配管に勾配をつけることが行われている。
【０００３】
ここで、図１０は従来から用いられている配管支持具３１を示す斜視図であり、この従来から用いられている配管支持具３１は、アンカー等により床下等に固定されるベース３３上に、表面にネジきりが施された一対の支柱３４が連結されている。また、前記支柱３４には、配管を挟持して固定するための支持側バンド３５及び固定側バンド３６が、支柱３４の長手方向への移動自在に備えられるとともに、支柱３４における支持側バンド３５の下側及び固定側バンド３６の上側には支柱３４に螺合されたロックナット３８が備えられている。
【０００４】
そして、この従来の配管支持具３１により配管を固定する際には、支柱３４におけるロックナット３８の位置を調整して、所望する箇所で支持側バンド３５及び固定側バンド３６の位置を固定し、その後に支持側バンド３５と固定側バンド３６間に配管を固定する。
【０００５】
そうすると、ロックナット３８の配置位置によって配管の高さを調整することができ、これにより配管に勾配をつけることが可能となる。
【０００６】
【発明が解決しようとする課題】
しかしながら、従来から用いられている配管支持具では、前述したように支柱にネジ切りをするとともに、この支柱に螺合可能なロックナットによって配管の高さ位置を調整しているため、配管の高さを調整するためにはロックナットを回転させなければならず、作業が面倒で時間がかかってしまっていた。
【０００７】
特に一般家屋等においては、洗面所、風呂場等、配管の数及び配管支持具の数が膨大であるために、従来の配管支持具を用いた場合には作業全体に占めるロックナットの位置調整等の割合が大きくなり非効率的であった。
【０００８】
また、配管支持具により配管の固定を行なう場合には、配管に勾配をつける必要があり、そのために、配管支持具を複数個（実際には配管の長さによって５〜１０個程度）設置するとともにそれに配管を設置した後に、その配管の全長の勾配を全体的に見て、配管の高さを微調整することが行なわれているが、従来の配管支持具では、微調整を行なうたびごとに、ロックナットを回転させなければならず、この点においても作業が面倒で時間がかかってしまうという問題点が指摘されていた。
【０００９】
そこで、本発明は、面倒な作業を経ること無く、配管の高さ調整を行うことが可能であるとともに配管の高さの微調整をも容易に可能な配管支持具を提供することを課題としている。
【００１０】
【課題を解決するための手段】
本発明の配管支持具は、配管を所望する勾配を形成しながら床下等に固定するために用いられる配管支持具であって、
床下等の任意の箇所に固定されるベースと、
該ベースに連結された、それぞれに櫛歯を備えた一対の支柱と、
該支柱にその長手方向への移動自在に装着された、配管を下側から支持するための支持部と、該支持部の両端部に連接されるとともに前記支柱が貫通される貫通孔が形成された連結部と、該連結部に突設した係止片と、を備えた支持側バンドと、
前記支持側バンドの上側において前記支柱にその長手方向への移動自在に装着された、配管を上側から押えるための押え部と、該押さえ部の一端に連接されるとともに少なくとも前記支柱が貫通される貫通孔が形成され、更にその下端部近傍が前記係止片の下側に位置する連結部と、を備えた一対の固定側バンドと、
前記支持側バンドにおける連結部のそれぞれに備えられた、前記固定側バンドのそれぞれを、前記支柱の外側へ付勢するための付勢手段と、を備え、
前記固定側バンドの上端部分を互いに近接させて、それぞれの固定側バンドを前記付勢手段の付勢力に対抗させて前記支柱の内側へ移動させることにより、前記固定側バンドにおける連結部に形成された貫通孔の縁部を前記支柱における櫛歯間に嵌合させ、これにより、前記支柱の長手方向に沿った任意の箇所で前記支持側バンド及び固定側バンドを固定して、配管の高さ位置を調整可能としたことを特徴としている。
【００１１】
本発明の配管支持具では、長手方向に沿って複数の櫛歯が形成された支柱とこの支柱が貫通する貫通孔がそれぞれに形成された支持側バンド及び固定側バンドを備え、支柱に形成した櫛歯に固定側バンドの貫通孔の縁部を嵌合させる構成にし、配管を支持した後に固定側バンドを締付けてその上端部分を近接させることにより、固定側バンドに形成した貫通孔の縁部を櫛歯に嵌合させて配管の高さを固定可能にするとともに、付勢手段を用いて、固定側バンドを櫛歯との嵌合を解除する方向に付勢する構成としている。
【００１２】
そのため、本発明の配管支持具では、固定側バンドの上端部分の近接を解除することにより、付勢手段の付勢力によって固定側バンドと櫛歯との嵌合を解除可能としている。
【００１３】
従って、本発明の配管支持具では、配管の高さ調整を行う際にロックナットを回転させなければならなかった従来の配管支持具と異なり、容易に配管の高さ調整を行なうことが可能であるとともに、配管の高さの微調整も容易に行なうことが可能である。
【００１４】
【実施例】
本発明の配管支持具の実施例について図面を参照して説明すると、図１は本実施例の配管支持具を示す正面図であり、図において１が本実施例の配管支持具である。
【００１５】
そして、本実施例の配管支持具１では、使用に際してアンカー等により床下等に固定されるベース２０１と、このベース２０１の上方に連接した一対の連結部２０２とを具備した基台２を備えている。
【００１６】
また、前記一対の連結部２０２にはそれぞれ、支柱３が立設されており、この支柱３はそれぞれ、長手方向に向けた断面形状を略コ字状にしているとともに、長手方向に沿って、略コ字状の先端部に櫛歯３０１を形成し、この櫛歯３０１が外側になるような配置で前記連結部２０２に装着されている。
【００１７】
なお、前述したように、本実施例において前記基台２は、ベース２０１と連結部２０２とにより構成したが、連結部２０２は特に必要なものではなく、これを用いずに、ベース２０１に直接支柱３を立設してもよい。
【００１８】
次に、図において６は支持側バンドであり、本実施例においては、前記支柱３に、その長手方向に移動自在にして支持側バンド６が装着されており、使用に際してはこの支持側バンド６によって配管をその下側で支持可能としている。
【００１９】
ここで、図２は、前記支持側バンド６を示す斜視図であり、本実施例においてこの支持側バンド６は、固定する配管の外形形状に適応させるようにして下側に湾曲させた支持部４を備えているとともに、この支持部４の両端には、支持側バンド６を前記支柱３に装着するための連結部５が連接されている。
【００２０】
ここで、支持側バンド６における連結部５について詳細に説明すると、本実施例において前記連結部５は、水平面を有する本体部５０１を備えており、この本体部５０１には、前記支柱３が貫通可能な貫通孔５０４が形成され、この貫通孔５０４に前記支柱３を貫通させることにより、支持側バンド６を支柱３に上下動自在に装着可能としている。なお、好ましくは、この貫通孔５０４は支柱３の外径よりもわずかに大きい径にし、配管を水平に支持した場合に支持側バンド６にわずかにガタが生じるようにするとよく、これにより、勾配をつけた配管を支持する場合に、その勾配に対応させて配管を確実に支持することができる。
【００２１】
次に、本体部５０１における反支持部側の端部近傍には、その上方へ向けて後壁部５０２が連設されており、この後壁部５０２の端部には天井部５０３を連設し、これにより、連結部５をその正面形状で略コ字状としている。
【００２２】
また、天井部５０３には、前記支柱３が貫通する貫通孔５０８を形成するとともに、この貫通孔５０８の端部から上方に向けて偏り防止片５０９を突出させており、更に、前記本体部５０１に形成した貫通孔５０４には、下側に向けて偏り防止片５０５を連接している。そしてこれにより、図１に示すように、前記貫通孔５０４、５０８に支柱３を貫通させることによって支持側バンド６を支柱３に装着した際には、偏り防止片５０９、５０５が支柱３の櫛歯３０１に当接し、支柱３における支持側バンド６の位置を安定させることが可能である。但し、必ずしもこのような構成を採用する必要はなく、偏り防止片を備えない構成としてもよい。
【００２３】
また、前記後壁部５０２には切欠部５０６を形成するとともに、この切欠部５０６の端部から連結部５の内側に向けて、係止片５０７を連設している。
【００２４】
次に、図１において７は固定側バンドであり、本実施例においては、前記支柱３における支持側バンド６の上側に固定側バンド７を備えており、これにより、支持側バンド６により支持された配管を、上側から押えて固定することを可能としている。
【００２５】
ここで、図３はこの固定側バンド７を示した斜視図であり、本実施例においてこの固定側バンド７は一対とされており、それぞれの固定側バンド７ａ、７ｂが、配管の上側の約半分を押えることが可能なようにしている。
【００２６】
そして、それぞれの固定側バンド７ａ、７ｂは、固定する配管の外形形状に適応させるようにして上側に湾曲させた押え部７０１を備えているとともに、この押え部７０１の下端には連結部７０２が連接されている。
【００２７】
また、連結部７０２にはそれぞれ、前記支柱３が貫通可能な貫通孔７０３が形成されており、この貫通孔７０３に前記一対の支柱３のそれぞれを貫通させることにより、固定側バンド７を支柱３に上下動自在に装着可能としている。
【００２８】
そして、本実施例においては、固定側バンド７に形成した前記貫通孔７０３における下端側の縁部を前記支柱３に形成した櫛歯３０１に嵌合可能としており、それぞれの固定側バンド７の上端部分を近接させることにより貫通孔７０３の縁を櫛歯３０１に嵌合させて支柱３に対する固定側バンド７の位置を固定し、一方、この状態においてそれぞれの固定側バンド７の上端部分を離していくことにより、この嵌合を解除して支柱３に対する固定側バンド７の位置をフリーにすることを可能としている。
【００２９】
更に、本実施例においては、それぞれの固定側バンド７の下端部分を前記係止片５０７の下側に位置するようにしており、これにより、固定側バンド７に支持側バンド６を係止し、支持側バンド６が下降しないようにしている。
【００３０】
なお、本実施例においては、前記固定側バンド７のそれぞれにおける上端両端側をそれぞれ略円形状に変形させて、装着孔７０５を備える装着部７０４を形成し、この装着部７０４にそれぞれ連結具８ａ、８ｂを装着し、これにより固定側バンド７の上端部を連結可能としている。
【００３１】
ここで、この連結具８について説明すると、本実施例においては、一方の固定側バンド７ａに回動自在に装着する一方の連結具８ａと、他方の固定側バンド７ｂに回動自在に連結する他方の連結具の８ｂにより連結具８を構成しており、それぞれの連結具８ａ、８ｂにはピン部８０１ａ、８０１ｂが形成され、このピン部８０１ａ、８０１ｂを前記固定側バンド７の上端部に形成した装着孔７０５に挿入することによって、前記固定側バンド７のそれぞれの上端部に連結具８を装着している。
【００３２】
そして、一方の連結具８ａには雌側係止片８０２ａを備え、他方の連結具８ｂには前記雌側係止片８０２ａに係止可能な雄側係止片８０２ｂを形成しており、雌側係止片８０２ａに雄側係止片８０２ｂを係止した状態で一方の連結具８ａを回動することにより、図１に示すように、それぞれの固定側バンド７の上端部分を近接させつつ連結可能としている。但し、必ずしもこのような構成にする必要は無く、例えば図５に示すように、それぞれの固定側バンド７の上端部分を上側に延長して延長部７０６を形成するとともにこの延長部７０６にボルト孔７０７を形成し、このボルト孔７０７を貫通させたボルト７０８を締付けることにより、それぞれの固定側バンド７の上端部を近接させて連結してもよく、また、その他の手段により、それぞれの固定側バンド７の上端部を近接させて連結してもよい。
【００３３】
次に、図１において９は、付勢手段としての板バネであり、本実施例においては、前記支持側バンド６における連結部５の内周側に板バネ９を配置しているとともに、この板バネ９の任意の部分を、前記固定側バンド７に形成した貫通孔７０３における、固定側バンド７の下端部側の縁部に当接させ、これにより、固定側バンド７を、その下端部側へ付勢させている。そしてこのとき、板バネ９の付勢力を調整して、それぞれの固定側バンド７の連結を解除している状態において、貫通孔７０３における下端部側の縁部と櫛歯３０１との嵌合が解除される程度に、固定側バンド７をその下端側に付勢するようにしている。そのため、本実施例の配管支持具１では、それぞれの固定側バンド７の連結を解除するのみで、櫛歯３０１と固定側バンド７の嵌合を解除して支柱３に対して固定側バンド７をフリーの状態にすることができる。
【００３４】
ここで、図６は、前記板バネ９を示す斜視図であり、本実施例において前記板バネ９は、前記支持側バンド６の連結部５における係止片５０７、後壁部５０２、及び天井部５０３の内周側に当接する当接面９０１、９０２、９０３と、前記支柱３における内周側最奥部に当接する当接する当接面９０４を連続して備えるとともに、前記支柱３における内周側最奥部に当接する当接する当接面９０４に連接して、前記固定側バンド７の連結部７０２に形成した貫通孔７０３を付勢するための付勢面９０５を備えている。そして、板バネ９は、付勢面９０５が固定側バンド７の連結部７０２に形成した貫通孔７０３内に位置するようにして、支持側バンド６における連結部５内に装備されている。
【００３５】
なお、本発明においては、付勢手段を用いて固定側バンド７のそれぞれを支柱３の外側へ付勢し、これにより、それぞれの固定側バンド７の連結を解除するのみで、櫛歯３０１と固定側バンド７の嵌合を解除して支柱３に対して固定側バンド７をフリーの状態にすることを可能とした点を特徴としているため、固定側バンド７のそれぞれを支柱３の外側へ付勢可能な手段であればいずれの手段を用いてもよく、必ずしも前述した形状の板バネに限定されるものではなく、またその装着箇所等も特に限定されるものではない。
【００３６】
次に、このように構成される本実施例の配管支持具１の作用について説明すると、図７は、一対の固定側バンド７ａ、７ｂの上端部を離している状態における一方の支柱３の近傍における断面を示しており、この状態においては、板バネ９の付勢力により、固定側バンド７はその下端側に押されており、それにより、固定側バンド７の連結部７０２に形成された貫通孔７０３は櫛歯３０１には嵌合せず、支柱３に対して固定側バンド７はフリーの状態にある。
【００３７】
そして、この状態で支柱３に対する固定側バンド７の位置を所望する箇所に決めた後に、支持側バンド６と固定側バンド７で配管を挟み込むとともに、前記連結具８により一対の固定側バンド７ａ、７ｂの上端部を互いに近接させつつ連結する。
【００３８】
そうすると、図８に示すように、固定側バンド７がその上端側に引っ張られることによって、固定側バンド７の連結部７０２に形成した貫通孔７０３における下端側縁部は、板バネ９の付勢力に対抗しながら櫛歯３０１との嵌合方向に移動して櫛歯３０１に嵌合し、これにより固定側バンド７が支柱３に対して固定される。そしてこのとき、固定側バンド７の連結部７０２は、支持側バンド６の連結部５に形成した係止片５０７の下方に位置しているために、支持側バンド６は固定側バンド７に係止される状態となり、これにより支持側バンド６の位置も固定される。この状態における固定側バンド７の一方の連結部７０２の近傍を示した斜視図が図９である。
【００３９】
一方、この状態で、固定側バンド７の連結を解除すると、図７に示すように、板バネ９の付勢力によって、固定側バンド７はその下端側へ移動するとともに、それにより固定側バンド７の連結部７０２に形成した貫通孔７０３の縁部と櫛歯３０１との嵌合が解除され、固定側バンド７をフリーにすることができる。
【００４０】
このように、本実施例の配管支持具１では、支柱に櫛歯を形成して、固定側バンドに形成した貫通孔の端部と櫛歯を嵌合させて固定側バンドの位置を固定可能にするとともに、板バネを用いて、貫通孔と櫛歯との嵌合を解除する方向に向けて固定側バンドを付勢しているため、それぞれの固定側バンドの連結を解除するのみで、支柱に対して固定側バンドをフリーにすることができるため、配管の高さ調整を容易に行なうことが可能である。
【００４１】
また、複数個の配管支持具を設定するとともにこの複数個の配管支持具に配管を設置し、その後に配管全長の勾配を全体的に見て配管の微調整を行なう場合においても、それぞれの固定側バンドの連結を解除するのみでこれを行なうことができるので、作業が容易である。
【００４２】
なお、図示しないが、前記支柱における反櫛歯側に目盛りを形成してもよく、これにより支持する配管の高さの目安にすることが可能である。
【００４３】
【発明の効果】
本発明の配管支持具は以上説明した形態で実施され、以下に記載するような効果を奏する。
【００４４】
本発明の配管支持具では、長手方向に沿って複数の櫛歯が形成された支柱とこの支柱が貫通する貫通孔がそれぞれに形成された支持側バンド及び固定側バンドを備え、支柱に形成した櫛歯に固定側バンドの貫通孔の縁部を嵌合させる構成にし、配管を支持した後に固定側バンドを締付けてその上端部分を近接させることにより、固定側バンドに形成した貫通孔の縁部を櫛歯に嵌合させて配管の高さを固定可能にするとともに、付勢手段を用いて、固定側バンドを櫛歯との嵌合を解除する方向に付勢する構成としている。
【００４５】
このように、本発明の配管支持具では、固定側バンドの上端部分の近接を解除することのみで、付勢手段の付勢力によって固定側バンドと櫛歯との嵌合を解除可能としているために、配管の高さ調整を行う際にロックナットを回転させなければならなかった従来の配管支持具と異なり、容易に配管の高さ調整を行なうことが可能である。
【００４６】
また、配管支持具に配管を設置した後に行なう配管の高さの微調整をも容易に行なうことが可能である。
【図面の簡単な説明】
【図１】本発明の配管支持具の実施例の正面図である。
【図２】本発明の配管支持具の実施例に用いられる支持側バンドを示す図である。
【図３】本発明の配管支持具の実施例に用いられる固定側バンドを示す図である。
【図４】本発明の配管支持具の実施例に用いられる連結具を示す図である。
【図５】本発明の配管支持具の実施例に用いられる固定側バンドの他の形態を示す図である。
【図６】本発明の配管支持具の実施例に用いられる板バネを示す図である。
【図７】本発明の配管支持具の実施例の作用を説明するための図である。
【図８】本発明の配管支持具の実施例の作用を説明するための図である。
【図９】本発明の配管支持具の実施例の作用を説明するための図である。
【図１０】従来の配管支持具を説明するための図である。
【符号の説明】
１    配管支持具
２    基台
２０１    ベース
２０２    基台における連結部
３    支柱
３０１    櫛歯
４    支持側バンドにおける支持部
５    支持側バンドにおける連結部
５０１    本体部
５０２    後壁部
５０３    天井部
５０４、５０８    貫通孔
５０５、５０９    偏り防止片
５０６    切欠部
５０７    係止片
６    支持側バンド
７    固定側バンド
７０１    押え部
７０２    連結部
７０３    貫通孔
７０４    装着部
７０５    装着孔
７０６    延長部
７０７    ボルト孔
７０８    ボルト
８    連結具
８０１ａ、８０１ｂ  ピン部
８０２ａ    雌側係止片
８０２ｂ    雄側係止片
９    板バネ
９０１、９０２、９０３、９０４    当接面
９０５    付勢面
【図１】
2004204967.tif 000003
【図２】
2004204967.tif 000004
【図３】
2004204967.tif 000005
【図４】
2004204967.tif 000006
【図５】
2004204967.tif 000007
【図６】
2004204967.tif 000008
【図７】
2004204967.tif 000009
【図８】
2004204967.tif 000010
【図９】
2004204967.tif 000011
【図１０】
2004204967.tif 000012